(57)【特許請求の範囲】
【請求項１】
ハウジングと、
前記ハウジング内で軸受によって回動自在に支持されるタービン軸と、
前記タービン軸と一体に結合され、作動流体が噴射されながら回転するように少なくとも１つのノズル孔が内部に一体に設けられ、前記タービン軸の軸方向に沿って積層される複数のディスク形状のノズル回転体とを含んでなり、
前記ノズル孔は、前記ノズル回転体の内部から外部に前記作動流体が吐出されるように、前記ノズル回転体の外周面に貫通するように形成され、
前記作動流体が吐出される前記ノズル孔は、当該ノズル孔の長手方向が前記ノズル回転体の外周面の法線方向（ｎ）に対してタービン軸の軸方向（ｃ）に傾斜する内壁面を有し、
前記内壁面の傾斜方向は、前記作動流体の排気側に近づくにつれて前記タービン軸から離れるような方向であることを特徴とする、スチームタービン。
【請求項２】
前記ノズル孔は、前記ノズル回転体の回転軸に対して複数個が回転対称となるように設けられることを特徴とする、請求項１に記載のスチームタービン。
【請求項３】
前記ノズル孔の内壁面の傾斜方向は、前記作動流体の流れ方向であることを特徴とする、請求項１に記載のスチームタービン。
【請求項４】
各ノズル回転体のノズル孔の内壁面の傾斜角度が互いに異なることを特徴とする、請求項１に記載のスチームタービン。
【発明の詳細な説明】
【技術分野】
【０００１】
本発明は、スチームタービンに係り、さらに詳しくは、多段に連結される複数のノズル回転体の回転駆動力を伝達するタービン軸を支持する軸受（ｂｅａｒｉｎｇ）要素の負荷を低減することが可能なスチームタービンに関する。
【背景技術】
【０００２】
図１は従来技術に係るスチームタービンの構成図である。
【０００３】
図１を参照すると、従来技術に係るスチームタービンシステムは、第１タービン１と第２タービン２が２ステージ（ｓｔａｇｅ）に構成され、各タービンに作用するトルクを同一にして、タービン軸３を支持する軸受４に作用する軸方向荷重を相殺させることにより、軸受に作用する荷重を低減している。
【０００４】
しかし、このような従来技術のスチームタービンシステムは、タービンを２ステージに構成することによるコストアップが発生し、全体的なタービンサイズが大きくなるという欠点がある。
【０００５】
他の従来技術として、スチーム噴射による反作用を利用したスチームタービンが多数提案されており、この種のスチームタービンは、排出されるスチームエネルギーの反作用によって回転エネルギーを得るので構造が簡単であり、高い熱効率も得ることができるため、中小容量の原動機に適する。
【０００６】
例えば、韓国公開特許第１０−２０１２−４７７０９号公報（公開日：２０１２年５月１４日）、韓国公開特許第１０−２０１３−４２２５０号公報（公開日：２０１３年４月２６日）及び韓国登録特許第１０−１２２９５７５号公報（登録日：２０１３年１月２９日）では、反作用式タービン装置を示している。
【０００７】
図１は従来技術に係る反作用式スチームタービンの一部を切開して示す構成図である。
【０００８】
図１を参照すると、スチームタービンは、タービン軸１０と、接線方向に作動流体の噴射が行われる多数のノズル回転体２１を有するローター２０と、ローター２０を回動自在に支持し且つ作動流体によってローター２０を回転駆動するように作動流体の流路を提供するハウジング３０とから構成される。
【０００９】
ローター２０は、多数のノズル回転体２１がタービン軸１０に沿って互いに離隔して多段に構成され、それぞれのノズル回転体２１は、一対のディスクから構成される。各ノズル回転体は、一側の軸方向に作動流体が流入する流入孔と、一対のディスクの内部に設けられた排気流路に沿って接線方向に作動流体の噴射が行われるように穿設される多数のノズル孔とを有する。
【００１０】
ハウジング３０は、略円筒状のボディ部３１と、作動流体が流入するようにボディ部３１の一側に設けられる流入部３２と、流入部３２他側に位置し、作動流体の排気が行われるようにボディ部３１に設けられる排気部３３と、ボディ部３１の内周面に設けられ、それぞれのノズル回転体２１同士の間に位置する隔壁部３４とを含んでなる。
【００１１】
ハウジング３０は、タービン軸１０を回動支持する軸受３５をさらに含む。
【００１２】
図３は従来技術のスチームタービンの断面構成図である。図３を参照すると、右側に流入した作動流体（スチーム）は、各ノズル回転体２１の中央に流入し、ノズル回転体２１の外周面の接線方向に設けられたノズル孔から吐出された後、次段のノズル回転体に流入して各段のノズル回転体２１を回転させる。
【００１３】
図４は従来技術のスチームタービンの要部構成図である。図４を参照すると、各ノズル回転体２１においてタービン軸１０の軸方向に沿って行われる作動流体の流れによって軸方向の力が作用し、これにより、全体的に図面上の左方向に軸受３５に軸力Ｆ３が作用することになり、軸受３５はこの軸力を支持するように反力Ｆ４が作用する。
【００１４】
このように、従来技術のスチームタービンは、軸方向の作動流体の流れ構造によって作用する軸方向の力によって軸受の寿命を短縮させるうえ、軸方向の荷重を支持することが可能な特殊な軸受（ティルティングパッド軸受（ｔｉｌｔｉｎｇ  ｐａｄ  ｂｅａｒｉｎｇ）など）が求められて製造コストを上昇させるという問題点がある。
【先行技術文献】
【特許文献】
【００１５】
【特許文献１】韓国公開特許第１０−２０１２−４７７０９号公報（公開日：２０１２年５月１４日）
【特許文献２】韓国公開特許第１０−２０１３−４２２５０号公報
【特許文献３】韓国登録特許第１０−１２２９５７５号公報（登録日：２０１３年１月２９日）
【発明の概要】
【発明が解決しようとする課題】
【００１６】
本発明は、かかる従来技術の問題点を解決するためのもので、その目的は、多段に連結される複数のノズル回転体の回転駆動力を伝達するタービン軸を支持する軸受要素の負荷を低減することが可能なスチームタービンを提供することにある。
【課題を解決するための手段】
【００１７】
上記目的を達成するための本発明に係るスチームタービンは、ハウジングと、前記ハウジング内で軸受１２１によって回動自在に支持されるタービン軸と、前記タービン軸と一体に結合され、作動流体が噴射されながら回転するように少なくとも１つのノズル孔が内部に設けられ、前記タービン軸の軸方向に沿って積層される複数のディスク形状のノズル回転体とを含んでなり、前記ノズル孔は、前記ノズル回転体の外周面の法線方向ｎに対してタービン軸の軸方向ｃに傾斜を有することを特徴とする。
【００１８】
好ましくは、本発明において、前記ノズル孔は、前記ノズル回転体の回転軸に対して複数個が回転対称となるように設けられることを特徴とする。
【００１９】
好ましくは、本発明において、前記ノズル孔は作動流体の流れ方向に傾斜を有することを特徴とする。
【００２０】
好ましくは、本発明において、各ノズル回転体のノズル孔の傾斜角度は互いに異なることを特徴とする。
【発明の効果】
【００２１】
本発明に係るスチームタービンは、多段に構成された複数のノズル回転体のノズル孔が一定の傾斜を有するように設けられることにより、ノズル孔から吐出されるスチームにより発生する全体軸方向反力と、ノズル孔から吐出された噴出力の軸方向の合力とが互いに相殺するようにしてタービン軸の軸方向の負荷を軽減させて応力発生による振動／疲労の問題を最小限に抑え、軸受の寿命短縮を低減することができるという効果がある。
【図面の簡単な説明】
【００２２】
【図１】従来技術に係るスチームタービンの構成図である。
【図２】他の従来技術としてスチームタービンの一部を切開して示す構成図である。
【図３】従来技術のスチームタービンの断面構成図である。
【図４】従来技術のスチームタービンの要部構成図である。
【図５】本発明に係るスチームタービンの構成図である。
【発明を実施するための形態】
【００２３】
本発明の実施形態に提示される特定の構造的または機能的説明は単に本発明の概念による実施形態を説明するために例示されたものに過ぎず、本発明の概念による実施形態は様々な形態で実施できる。本明細書に説明された実施形態に限定されるものと解釈されてはならず、本発明の思想及び技術範囲に含まれるすべての変更物、均等物ないし代替物を含むものと理解されるべきである。
【００２４】
一方、本発明において、「第１」および／または「第２」等の用語は多様な構成要素の説明に使用できるが、これらの構成要素はこれらの用語に限定されない。前記用語は一つの構成要素を他の構成要素から区別する目的のみで使われる。例えば、本発明の概念による権利範囲から逸脱することなく、第１構成要素は第２構成要素とも命名でき、これと同様に第２構成要素は第１構成要素とも命名できる。
【００２５】
ある構成要素が他の構成要素に「連結されて」いる、或いは「接続されて」いると記載された場合には、該他の構成要素に直接連結または接続されていることもあるが、それらの間に別の構成要素が介在することもあると理解されるべきである。一方、ある構成要素が他の構成要素に「直接連結されて」いる、或いは「直接接続されて」いると記載された場合には、それらの間に別の構成要素が介在しないと理解されるべきである。構成要素間の関係を説明する他の表現、すなわち「〜間に」と「すぐに〜間に」、または「〜に隣り合う」と「〜に直接隣り合う」などの表現も同様に解釈されるべきである。
【００２６】
本明細書で使用する用語は、単に特定の実施形態を説明するためのもので、本発明を限定するものではない。単数の表現は、文脈上明白に異なる意味ではない限り、複数の表現を含む。本明細書において、「含む」または「有する」などの用語は実施された特徴、数字、段階、動作、構成要素、部分品またはこれらの組み合わせが存在することを指定しようとするもので、一つまたはそれ以上の他の特徴や数字、段階、動作、構成要素、部分品またはこれらの組み合わせの存在または付加の可能性を予め排除しないものと理解されるべきである。
【００２７】
以下に添付図面を参照しながら、本発明の実施形態を詳細に説明する。
【００２８】
図５は本発明に係るスチームタービンの構成図であって、理解を助けるために、作動流体は、右側から流入して各ノズル回転体を経由した後に、左側に排気されるものと説明し、ｎはノズル回転体の外周面における法線方向を示し、ｔはノズル回転体の外周面におけるタービン軸の軸方向ｃへの接線方向を示す。
【００２９】
図５に示すように、本発明のスチームタービンは、ハウジング１１０と、ハウジング１１０内で軸受１２１によって回動自在に支持されるタービン軸１２０と、タービン軸１２０と一体に結合され、作動流体が噴射されながら回転するように少なくとも１つのノズル孔１３１が内部に設けられ、タービン軸１２０の軸方向に沿って積層される複数のディスク形状のノズル回転体１３０とを含んでなり、ノズル孔１３１は、ノズル回転体１３０の外周面の法線方向ｎに対してタービン軸１２０の軸方向ｃに傾斜を有することを特徴とする。
【００３０】
ハウジング１１０は、タービンの外観を構成するボディ部１１１と、ボディ部１１１から一体に内側に拡張されて各ノズル回転体１３０を区画する隔壁部１１２とを含むことで、各ノズル回転体１３０から吐出された作動流体は、隔壁部１１２に沿って次段のノズル回転体の中央に作動流体の流れを誘導する。
【００３１】
特に、本発明において、ノズル回転体１３０は外周面にノズル孔１３１が設けられ、この際、ノズル孔１３１は外周面の法線方向ｎに対してタービン軸１２０の軸方向ｃに一定の角度θの傾斜（０＜θ＜９０°）を有する。
【００３２】
好ましくは、ノズル孔１３１の傾斜方向は作動流体の流れ方向に傾斜を有する。
【００３３】
このように傾斜を有するノズル孔１３１から作動流体が吐出されながら所定の噴出力ｆ１が発生する。この際、吐出された作動流体はハウジング内で噴出力ｆ１によって反力ｆ２が作用する。
【００３４】
一方、反力ｆ２の接線方向成分ｆ２＿ｔは、作動流体の流れによる軸力と反対の方向に作用して作動流体による軸力を相殺させる。
【００３５】
傾斜を有するノズル孔１３１による接線方向成分ｆ２＿ｔによる全体の力は、次の数式で表される。
【００３６】
［数式］
Ｆ６＝３×ｆ２・ｓｉｎθ
＝−３×ｆ１・ｓｉｎθ
＝−（ｒ１＋ｒ２＋ｒ３）
＝−Ｒ５
【００３７】
このように、傾斜を有するノズル孔から吐出されるスチームにより発生する全体の軸方向の反力Ｆ６は、ノズル孔から吐出された噴出力ｆ１の軸方向の合力Ｆ５と同一にすることにより、タービン軸１２０の軸方向の負荷を軽減させて応力発生による振動／疲労の問題を最小限に抑え、軸受の寿命軽減を防止することができる。
【００３８】
一方、ノズル孔から吐出された噴出力ｆ１の法線方向成分ｆ２＿ｎは、ノズル回転体１３０のノズル孔を回転軸に対して複数個が回転対称となるように設けることにより、互いに相殺できる。
【００３９】
例えば、ノズル回転体１３０の外周面に２つのノズル孔が互いに１８０°の夾角をもって配置されることにより、ノズル孔から吐出された噴出力ｆ１の法線方向成分ｆ２＿ｎは互いに相殺できる。
【００４０】
本実施形態では、理解を助けるために、各ノズル回転体の噴出力ｆ１が同一であると説明したが、実質的に各段のノズル回転体の作動流体の噴出力は差が発生し、これを反映して各段のノズル回転体のノズル孔の傾斜角度を最適化することで、各ノズル回転体におけるノズル孔の傾斜角度は互いに異なり得る。
【００４１】
例えば、作動流体の流入部に隣接するノズル回転体は、排気部に隣接するノズル回転体と比較して相対的に作動流体の軸方向の軸力が大きく発生し、よって、流入部に隣接するノズル回転体はノズル孔の傾斜角がさらに大きく製作できる。
【００４２】
以上で説明した本発明は、前述した実施形態及び添付図面によって限定されるものではない。本発明の技術的思想を逸脱しない範囲内で様々な置換、変形及び変更を加え得ることは、本発明の属する技術分野における通常の知識を有する者にとって明らかであろう。
【符号の説明】
【００４３】
１１０    ハウジング
１２０    タービン軸
１２１    軸受
１３０    ノズル回転体
１３１    ノズル孔
【図１】
0006393427.tif 000002
【図２】
0006393427.tif 000003
【図３】
0006393427.tif 000004
【図４】
0006393427.tif 000005
【図５】
0006393427.tif 000006